(57)【要約】    【課題】  パチスロ機の間に設置され、簡単な構造と操作によって左右２台のパチスロ機の受け皿に直接メダルを払い出し、かつメダル貸出機の専有面積を低減して遊技場のスペースを有効利用する。    【課題手段】  遊技機用メダル貸出機のメダル払出しノズル１０が、基部側２１がメダル貸出機２より前方に延びるとともに、先端側２２が屈曲した略Ｌ字形状をなす筒状体であり、メダル貸出機２の前後方向に延びる軸芯２４を中心として表裏反転自在であって、前記払出しノズル１０を反転させることにより、ノズル先端側２２のメダル排出口１１を左右の遊技機１の受け皿７上の位置に合わせてメダル９を払い出す。    【選択図】  図３
2005066058.tif 000002
【特許請求の範囲】
【請求項１】
左右２台の遊技機の間に設置されるものであって、払出しノズルを有し、この払出しノズルを介して前記２台の遊技機の受け皿のそれぞれに遊技用メダルを払い出すようになした遊技機用メダル貸出機において、
前記払出しノズルは、基部側がメダル貸出機より前方に延びるとともに、先端側が屈曲した略Ｌ字形状をなす筒状体であり、メダル貸出機の前後方向に延びる軸芯を中心として表裏反転自在となし、
前記払出しノズルを反転させることにより、前記ノズル先端側のメダル排出口を左右の遊技機の受け皿上の位置にもたらして、メダルを払い出すようになした
ことを特徴とする遊技機用メダル貸出機。
【請求項２】
前記払出しノズルが、メダルの未払い出し時には、該メダル払出機の前面に沿って該ノズル先端側の排出口を上方に向けて位置している
ことを特徴とする請求項１に記載の遊技機用メダル貸出機。
【請求項３】
前記払出しノズルが、メダルの未払い出し時には、該ノズル先端側の排出口が前記左右の遊技機の一方の受け皿上に位置している
ことを特徴とする請求項１に記載の遊技機用メダル貸出機。
【請求項４】
前記払出しノズルが、前記メダル貸出機のメダル払出部に接続されたノズル基部と、メダル受け皿内にメダルを排出するノズル先端側の排出口と、前記ノズル基部と排出口との連結部からなり、
前記連結部が可撓性及び／又は伸縮性を有する樹脂製部材からなる
ことを特徴とする請求項１〜３のいずれかに記載の遊技機用メダル貸出機。
【発明の詳細な説明】
【技術分野】
【０００１】
本発明は、スロットルマシン等の遊技機に使用するメダルを貸し出すために遊技機間に設置される遊技機用メダル貸出機であり、左右両側の２台の遊技機の受け皿にメダルを直接払い出すことのできる遊技機用メダル貸出機に関するものである。
【背景技術】
【０００２】
メダルを遊技媒体とするスロットマシン等の遊技機（以下、パチスロ機と言う）は、その前面に設けたメダル投入口にメダルを投入して遊技するものであるが、従来よりパチスロ機の台間に遊技機用メダル貸出機（以下、メダル貸出機と言う）がパチスロ機と対で設置され、１台のパチスロ機に専用のメダル貸出機が用いられてきた。通常パチスロ機に使用されるメダル貸出機は、メダル貸出機のメダル払出部に樋状の払出しノズルが取り付けられ、遊技者がメダル貸出機に貨幣を投入するとメダル貸出機より排出されるメダルが払出しノズルを通過してパチスロ機の受け皿に直接払い出され、遊技者がパチスロ機から離れずに座ったままメダルの払い出しを受けられるようになっている。
【０００３】
しかし、このメダル貸出機では、それぞれのパチスロ機にメダル貸出機が設置されているため、パチスロ機とメダル貸出機とを対で設置するためのスペースと、メダル貸出機自体の設備費用やメンテナンス費用を要し、遊技場内のパチスロ機の設置数に制限を受けると共に設備費などの経済的負担を大きなものとしている。
【０００４】
そこで、２台のパチスロ機間に設置された１台のメダル貸出機から、その左右両側に位置するパチスロ機の受け皿に直接メダルを払い出すことができ、メダル貸出機の設置数を半減することのできる、図７に示すような遊技媒体貸出機が開示されている（特許文献１）。
【特許文献１】特開平１１−３０９２３９号公報
【発明の開示】
【発明が解決しようとする課題】
【０００５】
しかしながら、特許文献１に記載のものは、遊技者がメダルを手に受け取り受け皿に移す煩わしい動作から解放される優れた効果はあるが、左右に設置された遊技機のどちら側から貨幣が投入されたかをセンシングする手段、メダルの分別プレートや分別センサー、ボタンセンサーや左右に回転するノズル４１の位置検知センサー等を要するなど複雑な構造を有する遊技媒体貸出機４０となってメダル貸出機を高価なものとし、遊技場の設備コストの負担増に対して十分満足できるものとは言えない。
【０００６】
本発明は、左右２台のパチスロ機の台間に設置され、簡単な構造と操作によって遊技者が選択した左右いずれかのパチスロ機の受け皿に直接メダルを払い出すことができ、さらにメダル貸出機の専有面積を低減して遊技場のスペースを有効利用することのできる遊技機用メダル貸出機の提供を目的とするものである。
【課題を解決するための手段】
【０００７】
本発明の遊技機用メダル貸出機は、左右２台の遊技機の間に設置されるものであって、払出しノズルを有し、この払出しノズルを介して前記２台の遊技機の受け皿のそれぞれに遊技用メダルを払い出すようになした遊技機用メダル貸出機において、前記払出しノズルは、基部側がメダル貸出機より前方に延びるとともに、先端側が屈曲した略Ｌ字形状をなす筒状体であり、メダル貸出機の前後方向に延びる軸芯を中心として表裏反転自在となし、前記払出しノズルを反転させることにより、前記ノズル先端側のメダル排出口を左右の遊技機の受け皿上の位置にもたらして、メダルを払い出すようになしたことを特徴とする。
【０００８】
本発明の遊技機用メダル貸出機によれば、左右両側の遊技者により共用されるメダル貸出機の払出しノズルを払い出されるべきパチスロ機のメダル受け皿上の位置に反転させるという簡単かつ確実な動作の後に貨幣を投入することで、２台の遊技機の受け皿のそれぞれに遊技用メダルを払い出すことができるので、各パチスロ機に専用のメダル貸出機を不要としてメダル貸出機の設置数を半減することが可能となり、その余ったスペースにパチスロ機を増設する等の遊技場のスペースを有効に利用でき、またメダルの振り分け機構などのメダル貸出機の内部構造に機械的或いは電気的機構を用いることが無く貸出機自体のコスト上昇を抑え、その設備コストやメンテナンスの工数、費用が大幅に低減できる。
【０００９】
また、前記払出しノズルが、メダルの未払い出し時には該メダル払出機の前面に沿って該ノズル先端側の排出口を上方に向けて位置していることで、メダルの払い出し時に払出しノズルを左右いずれかのパチスロ機に向けて反転させて使用することができ、左右のパチスロ機で遊技中の遊技者に対して払出しノズルが邪魔にならず、遊技に集中することができる。
【００１０】
また、前記払出しノズルが、メダルの未払い出し時には、該ノズル先端側の排出口が前記左右の遊技機の一方の受け皿上に位置していることにより、他方のパチスロ機の遊技者がメダルの払い出しを受ける時のみ払出しノズルを反転させて使用することができ、未払出し時は一方の受け皿上に静止状態にあるので、この場合も遊技者に対して払出しノズルが邪魔になることがない。
【００１１】
前記払出しノズルが、前記メダル貸出機のメダル払出部に接続されたノズル基部と、メダル受け皿内にメダルを排出するノズル先端側の排出口と、前記ノズル基部と排出口との連結部からなり、前記連結部が可撓性及び／又は伸縮性を有する樹脂製部材からなるものであると、左右に反転された払出しノズルの上下、左右方向への変位、変形が可能となり、ノズル先端側のメダル排出口をパチスロ機受け皿上の位置に容易に調整し、メダルを受け皿に案内しその払い出しを確実なものとすることができる。
【発明の効果】
【００１２】
本発明の遊技機用メダル貸出機によれば、簡単なノズルの反転操作によって１台のメダル貸出機から左右２台のパチスロ機に対してメダルを直接払い出すことができるので、遊技者の余分な動作を省き利便性を向上するだけでなく、払出しノズルが遊技者の邪魔にならず遊技に集中でき、さらに遊技場のメダル貸出機設置数を従来よりも半減し、その余ったスペースにパチスロ機を増設するなどの遊技場スペースの有効利用が可能となり、さらにメダル貸出機の設備コストやメンテナンスなどの費用を大幅に軽減することができるという遊技場にとっても優れた効果がある。
【発明を実施するための最良の形態】
【００１３】
（第１の実施形態）
本発明の第１の実施の形態を図面に基づいて説明する。図１は本発明の実施形態にかかるパチスロ機の受け皿へメダルを払い出すメダル貸出機２の正面図、図２はメダル貸出機２の払出しノズル１０を示す平面図、図３はその正面図、図４はその側面図である。
【００１４】
図１は、左右２台のパチスロ機１，１とパチスロ機台間に設置されたメダル貸出機２との配置関係を示すもので、パチスロ機１はその前面に絵柄の付いた回転リールを表示する表示窓３、回転リールを回転させるレバー４、回転リールの回転を止めるストップボタン５、メダルを入れるメダル投入口６、勝ちメダルを受け取る受け皿７等が設けられている。
【００１５】
左右２台のパチスロ機１，１の間に設置されるメダル貸出機２は、その前面の上部に貨幣（紙幣又は硬貨）を投入する貨幣投入口８、下部に遊技機１の受け皿７にメダル９を直接払い出しする払出しノズル１０が設けられており、その内部には投入された貨幣の格納部、メダル貯蔵部、メダル計数機や払出しノズル１０にメダル９を供給するメダル払出部等が具備されている。
【００１６】
メダル貸出機２から払出しされるメダル９をパチスロ機１の受け皿７に直接払出しする払出しノズル１０は、図２〜図４に示すように、メダル貸出機２内に設けられているメダル９を計数しノズル１０に供給する払出部（図示せず）のメダル供給シュート１５に、貸出機２の前面に設けた取付部１９を介して受け皿７との間にメダル９が落下し移動するための傾斜を有して接続されている。
【００１７】
この払出しノズル１０は、その基部側２１がメダル貸出機２より前方に延びるとともに、先端側２２が屈曲部２３において屈曲した略Ｌ字形状をなす筒状体であり、メダル貸出機２の前後方向に延びる軸芯２４を中心としてノズル１０が表裏に反転自在にメダル貸出機２に接続され、メダル貸出機２の左右のパチスロ機１，１の一方に向けて手動で反転（矢符Ａ）させることにより、先端側２２のメダル排出口１１を左右いずれかのパチスロ機１の受け皿７上の位置に合わせメダル９を払い出すものである。
【００１８】
払出しノズル１０は、メダル貸出機２側のノズル基部２１と、メダル受け皿７内にメダル９を払出しするノズル先端側２２の排出口１１との間が屈曲部２３において緩やかな曲線で屈曲した略Ｌ字形状をなしており、メダル９がそれ自体の自重でノズル１０の落差により移動し排出口１１から払い出される。
【００１９】
また、ノズル１０は、メダル９の払い出しの際に、立った状態で移動したメダル９がその転がりの勢いで受け皿７から飛び出すのを防ぐため、メダル９が寝かされた状態で排出口１１から払出しされるように、ノズル１０の断面は排出口１１の近傍付近で上下断面が除々に偏平状に絞られた、例えば横長の長方形や楕円形断面であるものが好ましい。また、基部側２１から排出口１１までのノズル１０を全長に渡り上記長方形断面等としたものでもよい。
【００２０】
前記払出しノズル１０は、メダル９の未払い出し時にはメダル貸出機２の前面に沿って先端側２２の排出口１１を上方に向けてノズル１０’のように位置して固定できるようになっている。
【００２１】
また、前記払出しノズル１０が、メダルの未払い出し時には、ノズル先端側２２の排出口１１が左右の遊技機１の一方の受け皿７上に位置しているものでもよく、この場合もメダルの払い出し時のみ払出しノズル１０をメダル払出し者側に向けて反転させて使用することができ、未払出し時は一方の受け皿７上に静止状態にあるので、上記の排出口１１が上方に向けて固定されている場合と同様に、遊技者に対して払出しノズル１０が邪魔になることがない。
【００２２】
このメダル未払い出し時のノズル１０は、上方に向けた位置、或いは受け皿７上の位置の両者から選択できるものでも勿論よく、遊技者の好みによりその位置が選択できる点で好ましい。
【００２３】
ノズル１０の固定方法は特に限定されるものではないが、例えば図６に示すような、ノズル基部２１と取付部１９の間に、排出口１１を上方と左右のパチスロ機１の受け皿７上の位置を選択してノズル１０を固定できるように、ノズル基部２１側の回転部に設けた凹部２６と、取付部１９側にバネ２８を介して付勢され前記凹部２６に係合するように設けたストップピン２７とからなるクリックストップ機構２５を備えたものが例示され、或いは払出しノズル１０の排出口１１を上方に向けてコイルバネを用いて引っ張り固定する方法などが挙げられる。
【００２４】
従って、本発明のメダル貸出機は、遊技者がメダル９の払出しを受ける時のみメダル貸出機２の払出しノズル１０を自分が遊技しているパチスロ機１に向かって反転させ、そのノズル先端側２２のメダル排出口１１を受け皿７上の位置に合わせた後、貨幣を貨幣投入口８に投入しメダル９を受け皿７に直接払い出すことができ、遊技者が手でメダル貸出機２からメダル９の払い出しを受ける煩わしさや席を立つような余分な動作を省くことができ、利便性をより向上させることができる。
【００２５】
また、このメダル貸出機２を挟んで遊技する隣の遊技者も同様に、払出しノズル１０を自分側に反転させ、そのメダル排出口１１を受け皿７上の位置に合わせた後、貨幣を貨幣投入口８の投入することでメダル９を受け皿７に直接払い出すことができる。
【００２６】
そして、メダル９の払い出しを受ける時のみ払出しノズル１０を左右のいずれかの遊技機１に向けて反転させ使用するので、通常は上方に向けて、或いは一方パチスロ機１の受け皿７上の位置に静止しているので、払出しノズル１０が左右のパチスロ機１，１で同時に遊技中の遊技者に対して邪魔にならず、遊技に集中することができる。
【００２７】
さらに、ノズル１０がメダル貸出機２の前後方向を軸芯として左右のパチスロ機１，１に向かって反転するので、ノズル１０が前後方向に動くことがなく、その先端のメダル排出口１１を受け皿７に位置合わせすることが容易となり、また水平方向にノズル１０が回動しないので誤操作によってメダル９を受け皿７の外部に落下させることを防ぐことができる。
【００２８】
払出しノズル１０の先端側の排出口１１の端部には、上下に揺動自在の案内板１２を設けておくと、排出口１１からのメダル９が受け皿７内に案内されるようになり、メダル９の落ちこぼれや一旦受け皿７に落下したメダル９の飛び出しを防ぐことができ好ましい。
【００２９】
この払出しノズル１０は樹脂製などの透明又は半透明の筒状体であることが好ましく、ノズル内にメダル詰まりが生じても直ちに発見し詰まりを解消することができる。
【００３０】
これにより、本発明では、１台のメダル貸出機２から左右両側のパチスロ機の受け皿７，７にメダル９を払い出すことができるので、遊技者の利便性向上や遊技への集中だけでなく、それぞれのパチスロ機１に専用のメダル貸出機２が不要となってメダル貸出機２の設置数を半減することができ、そのスペースにパチスロ機１を増設するなどスペースの有効利用が可能となり、またメダル貸出機２の設置数の削減による設備コストやメンテナンスの工数、費用が軽減される。
【００３１】
また、この手動による簡単なノズルの反転機構をメダル貸出機に採用することで、上記従来技術のメダル貸出機のような払い出し方向の選別機能やメダルの振り分けを行うための機械的、電気的機構や装置を不要とし、メダル貸出機の低価格化を図ることで遊技場の設備コストの低減を図ることもできる。
【００３２】
上記払出しノズル１０は、ノズルを把持して手動で反転させるものであるが、取付部１９部分にモータを備える反転装置を内蔵し、電動で駆動させる方式のものも、勿論採用できる。
【００３３】
（第２の実施形態）
図５は第２の実施形態の払出しノズル３０を示す平面図（ａ）とその正面図（ｂ）である。
【００３４】
図に示す払出しノズル３０は、メダル払出部の取付部１９に接続されたノズル基部側３１と、メダル受け皿７内にメダルを排出するノズル先端側のメダル排出口３２と、このノズル基部３１と排出口３２とを連結する可撓性及び／又は伸縮性を有する連結部３３とから構成されている。
【００３５】
これにより、メダル払出部の供給シュート１５からノズル３０を通過するメダル９は、その自重でノズル３０内を移動し受け皿７に払い出されるので、連結部３３に適度の傾斜や方向性を持たせることで、ノズル基部側３１と受け皿７間の傾斜強弱やノズル先端の排出口３２の方向を容易に調整できるようになりメダル９の移動がスムーズとなり、また受け皿７の位置に対してメダル排出口３２を安定した位置に設けることができ、特に、左右のパチスロ機１にノズル３０を反転させ使用する場合、メダル排出口３２の位置調整が容易となり、メダル９の払出しを確実にすることができる。
【００３６】
この連結部３３は、連結部軸方向で左右方向及び上下方向に変形可能なもので、例えば樹脂製蛇腹状ホース、樹脂製被膜の付いたコイルスプリングなどの筒状体等が用いられ、連結部３３の変形状態を維持できるものが排出口３２を受け皿７上の位置に維持しメダルを安定して払い出すことができ好ましい。
【００３７】
また、メダル貸出機２のメダル排出口３２の高さや奥行きなどの位置調整が可能となることで、パチスロ機１の更新などで機種が変更された場合にも、その受け皿７に対してメダル９を払出すことができ他のパチスロ機との互換性が得られ、パチスロ機の機種変更や更新を容易とし設備費を軽減することができる。
【００３８】
さらに、ノズル３０の屈曲部３４を連結部３３として、樹脂製蛇腹状ホース等で形成してもよく、これによりメダル排出口３２の位置を広範囲に調整することができ、またノズルの製作が容易となってそのコストダウンを図ることもできる。
【産業上の利用可能性】
【００３９】
１台のメダル貸出機から左右２台の遊技機に対してメダルを払い出すことができることから、遊技者の利便性の向上、遊技場のメダル貸出機設置数の半減とそのスペースの有効利用が可能となり、さらにメダル貸出機の設備コストやメンテナンスなどの費用を大幅に軽減することができ、スロットマシン等のメダルを遊技媒体として使用する遊技機に広く利用することができる。
【図面の簡単な説明】
【００４０】
【図１】実施形態のメダル貸出機とパチスロ機の正面図である。
【図２】第１の実施形態の払出しノズルの平面図である。
【図３】同上の正面図である。
【図４】同上の側面図である。
【図５】第２の実施形態の払出しノズルの平面図及び正面図である。
【図６】クリックストップ機構の説明図である。
【図７】従来例のメダル貸出機とパチスロ機の正面図である。
【符号の説明】
【００４１】
１……パチスロ機
２……メダル貸出機
７……受け皿
９……メダル
１０……払出しノズル
１１……排出口
２１……ノズル基部側
２２……ノズル先端側
２３……ノズル屈曲部
２４……軸芯
【図１】
2005066058.tif 000003
【図２】
2005066058.tif 000004
【図３】
2005066058.tif 000005
【図４】
2005066058.tif 000006
【図５】
2005066058.tif 000007
【図６】
2005066058.tif 000008
【図７】
2005066058.tif 000009